(57)【要約】      （修正有）【課題】時刻修正のための信号の混信を軽減できる計時装置、計時システム、及び計時方法を提供する。【解決手段】計時装置は、計時データの修正値を示す複数の修正時刻情報を他の計時装置に所定の送信期間内において順次送信する送信部と、送信期間内において送信部が順次送信する修正時刻情報の送信間隔を変更する変更部とを備える。送信間隔をランダムに変更する変更部は、送信期間のうち、第１送信期間内において送信部が順次送信する前記修正時刻情報の送信間隔と、第１送信期間とはタイミングが異なる第２送信期間内において送信部が順次送信する修正時刻情報の送信間隔とを変更する。【選択図】図８
2019207187.tif 000002
【特許請求の範囲】
【請求項１】
計時データの修正値を示す複数の修正時刻情報を他の計時装置に所定の送信期間内において順次送信する送信部と、
前記送信期間内において前記送信部が順次送信する前記修正時刻情報の送信間隔を変更する変更部と
を備える計時装置。
【請求項２】
前記変更部は前記送信間隔をランダムに変更する請求項１に記載の計時装置。
【請求項３】
前記変更部は、前記送信期間のうち、第１送信期間内において前記送信部が順次送信する前記修正時刻情報の送信間隔と、前記第１送信期間とはタイミングが異なる第２送信期間内において前記送信部が順次送信する前記修正時刻情報の送信間隔とを変更する請求項２に記載の計時装置。
【請求項４】
請求項１から請求項３のいずれか一項に記載の計時装置と、
前記計時装置から前記修正時刻情報を受信し、受信した前記修正時刻情報に基づいて自装置の前記計時データを修正する子計時装置と
を備える計時システム。
【請求項５】
計時データの修正値を示す複数の修正時刻情報を他の計時装置に所定の送信期間内において順次送信する送信過程と、
前記送信期間内において前記送信過程において順次送信される前記修正時刻情報の送信間隔を変更する変更過程と
を有する計時方法。
【発明の詳細な説明】
【技術分野】
【０００１】
本発明は、計時装置、計時システム、及び計時方法に関する。
【背景技術】
【０００２】
複数の計時装置を配置し、親機である計時装置から子機である計時装置へと時刻情報を送信し、子機である計時装置の時刻修正を行なうことが可能な計時システムが知られている。そのような計時システムでは、無線通信を用いてネットワークを構築することが行われる。
【０００３】
無線通信を用いてネットワークを構築する場合、Ｗｉ−Ｆｉ（登録商標）などの様に互いのＩＰアドレスを識別する方法や、Ｂｌｕｅｔｏｏｔｈ（登録商標）などの近距離無線通信を用いた双方向通信によってペアリングする方法が用いられる。そのような方法では、制御が複雑になると共にユーザの手間がかかっていた。
【０００４】
複数の計時装置を階層化して、上位階層の計時装置から一段下位階層の計時装置へ順次リレー式に時刻情報を送信して、各階層の計時装置の時刻修正を行なうことが可能な計時システムが知られている。このような計時システムでは、一方向通信により、時刻情報を上位階層の計時装置である親機から下位階層の計時装置である子機に伝えるものである。この一方向通信には、例えば、近距離無線通信が用いられる。子機は、送信データに時刻情報とともに含まれる送信タイミング情報を参照して、親機から以降において送信データを受信するための自動受信タイミングを決定する。
【０００５】
このような計時システムでは、計時装置同士をペアリングする双方向通信に比べて容易にネットワークの構築が可能である。例えば、計時装置同士の間に適切なリンク関係を自動的に構築可能な計時装置が知られている（特許文献１）。特許文献１に記載の計時装置を用いた計時システムでは、親機、子機ともに電源が投入され初期受信に成功すると、以降は自動的に送信を開始する。そのためこの計時システムでは、計時装置の設置が容易である。
【先行技術文献】
【特許文献】
【０００６】
【特許文献１】特開２００５−２５７４８４号公報
【発明の概要】
【発明が解決しようとする課題】
【０００７】
特許文献１に記載の計時装置を用いた計時システムでは、各計時装置は、時刻修正のための時刻情報を送信する送信動作において間欠的に、例えば１０秒毎にアドバタイジングを行う。このような計時システムでは、親機には複数の子機が一方向通信によりつながり、更に各々の子機には一段下位階層の複数の子機がつながる。そのため、このような計時システムでは、設置時には同時に多くのアドバタイジング信号が送信されるため、送信されたアドバタイジング信号が互いに混信する可能性が高いという課題があった。
【０００８】
本発明は上記の点に鑑みてなされたものであり、時刻修正のための信号の混信を軽減できる計時装置、計時システム、及び計時方法を提供する。
【課題を解決するための手段】
【０００９】
本発明は上記の課題を解決するためになされたものであり、本発明の一態様は、計時データの修正値を示す複数の修正時刻情報を他の計時装置に所定の送信期間内において順次送信する送信部と、前記送信期間内において前記送信部が順次送信する前記修正時刻情報の送信間隔を変更する変更部とを備える計時装置である。
【００１０】
また、本発明の一態様は、上記の計時装置において、前記変更部は前記送信間隔をランダムに変更する。
【００１１】
また、本発明の一態様は、上記の計時装置において、前記変更部は、前記送信期間のうち、第１送信期間内において前記送信部が順次送信する前記修正時刻情報の送信間隔と、前記第１送信期間とはタイミングが異なる第２送信期間内において前記送信部が順次送信する前記修正時刻情報の送信間隔とを変更する。
【００１２】
また、本発明の一態様は、上記の計時装置と、前記計時装置から前記修正時刻情報を受信し、受信した前記修正時刻情報に基づいて自装置の前記計時データを修正する子計時装置とを備える計時システムである。
【００１３】
また、本発明の一態様は、計時データの修正値を示す複数の修正時刻情報を他の計時装置に所定の送信期間内において順次送信する送信過程と、前記送信期間内において前記送信過程において順次送信される前記修正時刻情報の送信間隔を変更する変更過程とを有する計時方法である。
【発明の効果】
【００１４】
本発明によれば、時刻修正のための信号の混信を軽減できる。
【図面の簡単な説明】
【００１５】
【図１】本発明の実施形態に係る計時システムの構成の一例を示す図である。
【図２】本発明の実施形態に係る修正時刻情報及び通信チャネルの一例を示す図である。
【図３】本発明の実施形態に係る１回の送信動作における複数回のアドバタイジングの一例を示す図である。
【図４】本発明の実施形態に係る所定の送信間隔毎の送信動作の一例を示す図である。
【図５】本発明の実施形態に係るランダムに設定された送信間隔の一例を示す図である。
【図６】本発明の実施形態に係る計時装置の構成の一例を示す図である。
【図７】本発明の実施形態に係る表示装置の表示パネルの表示の一例を示す図である。
【図８】本発明の実施形態に係る制御部の構成の一例を示す図である。
【図９】本発明の実施形態に係る時刻情報受信のための前処理の一例を示す図である。
【図１０】本発明の実施形態に係る親機モードにおける長波受信処理の一例を示す図である。
【図１１】本発明の実施形態に係る親機モードにおける近距離通信処理の一例を示す図である。
【図１２】本発明の実施形態に係る子機モードにおける近距離受信処理の一例を示す図である。
【図１３】本発明の実施形態に係る通常時の計時処理の一例を示す図である。
【図１４】本発明の実施形態に係る子機の通常時の時刻修正のための処理の一例を示す図である。
【図１５】本発明の実施形態に係る修正時刻信号の送信動作の一例を示す図である。
【発明を実施するための形態】
【００１６】
（実施形態）
以下、図面を参照しながら本発明の実施形態について詳しく説明する。図１は、本実施形態に係る計時システムＳの構成の一例を示す図である。計時システムＳでは、複数の計時装置Ｃ１〜Ｃ６を備え、それら計時装置Ｃ１〜Ｃ６がツリー型のネットワークを構成している。
以下では、計時装置Ｃ１〜Ｃ６のうちの１つを計時装置Ｃと呼ぶことがある。
【００１７】
このネットワークにはレイヤにより示される階層があり、最上位レイヤの計時装置Ｃが時刻情報を取得して、上位レイヤの計時装置Ｃから下位レイヤの計時装置Ｃへと時刻情報が順次送信される。ここで最上位レイヤの計時装置Ｃが取得する時刻情報とは、例えば、標準電波に含まれる基準となる時刻を示す情報である。各レイヤの計時装置Ｃは、上位レイヤの計時装置Ｃから時刻情報を受信すると、自装置の時刻を修正する。これにより、計時システムＳを構成する計時装置Ｃ１〜Ｃ６は正確な時刻を維持する。
【００１８】
計時システムＳに備えられる計時装置Ｃ１〜Ｃ６とは、例えば、オフィスビルや工場などに設置される電波時計である。電波時計では、設置場所によっては、標準電波を受信できない場合がある。
そのため計時システムＳでは、計時装置Ｃ１〜Ｃ６は、標準電波を受信する親機と、親機から修正時刻信号を受信する子機とに分けられる。ここで修正時刻信号とは、時刻修正のための時刻情報である修正時刻情報Ｍを含む信号である。親機となる計時装置Ｃ１は、標準電波の受信しやすい窓際などに設置される。一方、子機となる計時装置Ｃ２及び計時装置Ｃ３は、建物の奥側に設定され、親機である計時装置Ｃ１から修正時刻信号を受信する。
【００１９】
計時システムＳでは、計時装置Ｃは、上位レイヤの計時装置Ｃから修正時刻信号を受信すると、以降も所定の受信タイミングにおいて、この上位レイヤの計時装置Ｃから修正時刻信号を受信する。
【００２０】
計時システムＳでは、送信時は近距離無線通信における一方向通信を用いている。この近距離無線通信とは、一例としてビーエルイー（Ｂｌｕｅｔｏｏｔｈ（登録商標）  Ｌｏｗ  Ｅｎｅｒｇｙ：ＢＬＥ）である。送信データにはネットワークの階層を示すレイヤ情報が含まれる。計時装置Ｃ２〜Ｃ６は、初期受信時に受信したレイヤの値に１を加えて自装置のレイヤとする。計時装置Ｃ２〜Ｃ６は、以降、自装置のレイヤの値より１小さいレイヤの値を有する送信データのみを取得し、ツリー型のネットワークが構築される。
【００２１】
計時システムＳでは、一方向通信を用いることにより近距離通信におけるペアリングや、一般的なネットワークにおけるＩＰアドレス設定などの手間を省き、それらに比べて容易に親子時計システムを実現できる。
【００２２】
親機である計時装置Ｃ１は、長波受信によりＪＪＹ（登録商標）等の標準電波または衛星電波（ＵＴＣ）を受信することにより、時刻情報を取得する。または、親機である計時装置Ｃ１は、近距離無線通信によりスマートフォンから時刻情報を取得する。計時装置Ｃ１がいずれの情報源から時刻情報を取得するかは、ユーザにより設定される。また、計時システムＳにおいて計時装置Ｃが親機と子機とのいずれとして機能するかもユーザにより設定される。
【００２３】
計時装置Ｃ１は、取得した時刻情報に基づいて、自装置の計時データを修正する。計時装置Ｃ１は、修正した計時データに基づき修正時刻情報Ｍを生成する。計時装置Ｃ１は、生成した修正時刻情報Ｍを含む修正時刻信号を、下位レイヤの計時装置Ｃ２及び計時装置Ｃ３に送信チャネル０により送信する。
【００２４】
ここで図２を参照し、修正時刻情報Ｍ及び通信チャネルについて説明する。
図２は、本実施形態に係る修正時刻情報Ｍ及び通信チャネルの一例を示す図である。修正時刻情報Ｍは、レイヤ情報Ｍ１、送信チャネル情報Ｍ２、時刻情報Ｍ３、局情報Ｍ４、及びカレンダー情報Ｍ５を含む。
【００２５】
レイヤ情報Ｍ１は、修正時刻情報Ｍを送信した計時装置Ｃが位置するレイヤを特定するための情報である。レイヤ情報Ｍ１は、例えば、０〜９９の範囲をとる。
【００２６】
送信チャネル情報Ｍ２は、修正時刻情報Ｍが送信される通信チャネルを特定する情報である。通信チャネルが、例えば、６０チャネル用意されている場合には、送信チャネル情報Ｍ２には、例えば、０〜５９の値のうち通信チャネルに対応するものが設定される。
【００２７】
時刻情報Ｍ３は、年・月・日・時・分・秒・曜日等の時刻を示す情報である。
局情報Ｍ４は、時刻情報Ｍ３がどの情報源に基づいて修正されたのかを示す情報である。局情報Ｍ４は、例えば、ＵＴＣ、ＪＪＹ（４０ｋＨｚ；東・福島送信所）、ＪＪＹ（６０ｋＨｚ，西・九州送信所）、スマートフォン、及び手動調整時の別を示す情報である。
カレンダー情報Ｍ５は、カレンダーを示す情報である。
【００２８】
図１に戻り、計時システムＳの説明を続ける。
計時システムＳでは、混信を防ぐために１０秒毎のタイムスロットＴＳを設けてレイヤ、及び送信ＣＨから修正時刻情報Ｍの送信タイミングを決定し、複数の送信装置間において送信タイミングが重なることを防いでいる。ここで送信ＣＨは、周波数ではなく時分割したタイムスロットを意味し、番号０〜５９からランダムに設定される。送信タイミングの一例は、式（１）により表される。
【００２９】
【数１】
2019207187.tif 000003
【００３０】
周波数ホッピングにより混信を防ぐＢＬＥの双方向通信と異なり、ＢＬＥの一方向通信では、送信装置であるブロードキャスターが送信データであるアドバタイズメントパケットを送信する際は３つの周波数を順次切替えて送信するため、タイミングが重なると混信する可能性が高くなる。計時システムＳでは、式（１）により送信タイミングが重なることを防いでいる。
【００３１】
ここで図３〜図５を参照し、計時装置Ｃの送信動作について説明する。
計時システムＳでは、親機である計時装置Ｃ、子機である計時装置Ｃともに初期受信に成功すると自動的に送信を開始する。計時装置Ｃは、送信時においてＢＬＥのブロードキャスターとしてアドバタイジングを行う。アドバタイジングでは計時装置Ｃは、図３のように、チャネルＣＨ３７、チャネルＣＨ３８、及びチャネルＣＨ３９の３つのアドバタイジングチャネルを順次切替えて周波数ホッピングを行う。つまり、１回のアドバタイジングにおいて、３つの周波数を用いてアドバタイジングパケットの送信が行われる。
計時装置Ｃは、修正時刻情報Ｍをアドバタイジングパケットとして送信する。アドバタイジングとは、修正時刻情報Ｍを含む修正時刻信号を送信することである。
【００３２】
図３は、１回の送信動作における複数回のアドバタイジングの一例を示す図である。１回の送信動作において時刻データを送信するにはアドバタイジングは１回でよい。ただし、計時システムＳでは、受信成功率を上げるために、１回の送信動作において例えば３回アドバタイジングを行う。ここでアドバタイズメントパケットを送信する送信間隔ＡＩはアドバタイジングインターバルと呼ばれる。
図３に示す例では、１回目のアドバタイジングと２回目のアドバタイジングとの間の送信間隔ＡＩ１、及び２回目のアドバタイジングと３回目のアドバタイジングとの間の送信間隔ＡＩ２が示されている。
【００３３】
計時装置Ｃは、リセット後の自動送信では図４に示すように１０秒毎に３回の送信動作（送信動作ＴＸ１〜ＴＸ３）を行う。図４は、所定の送信間隔ＡＩ毎の送信動作の一例を示す図である。計時装置Ｃは、各送信動作を行う前に送信間隔ＡＩを式（２）によってランダムに設定する。
【００３４】
【数２】
2019207187.tif 000004
【００３５】
ここで整数ｎは、一例として、０〜３１の整数のなかから毎回ランダムに選択される。複数の計時装置Ｃが初期受信後に送信する際に各々整数ｎの値が０、１、３１であった場合のタイミングを図５に示す。図５は、ランダムに設定された送信間隔ＡＩの一例を示す図である。
図５に示すように、計時システムＳでは、２回目以降のアドバタイジングにおいては送信タイミングが異なるため混信を回避可能となる。
【００３６】
レイヤの値が１の計時装置Ｃ２は、レイヤの値が０の計時装置Ｃ１から修正時刻情報Ｍを受信する。計時装置Ｃ２は、修正時刻情報Ｍに含まれる時刻情報Ｍ３に基づいて自装置の計時データを修正する。計時装置Ｃ２は、修正した計時データに基づき修正時刻情報Ｍを生成する。計時装置Ｃ２は、生成した修正時刻情報Ｍを、レイヤの値が２の計時装置Ｃ４に送信する。ここで計時装置Ｃ２は、上位レイヤの計時装置Ｃ１が用いている送信チャネル０とは異なる送信チャネル３を送信に用いる。
【００３７】
以下、同様にして、各レイヤの計時装置Ｃは、レイヤの値が１だけ小さいレイヤの計時装置Ｃから修正時刻情報Ｍを受信し、受信した修正時刻情報Ｍに含まれる時刻情報Ｍ３に基づいて自装置の計時データを修正する。計時装置Ｃは、修正した計時データに基づき修正時刻情報Ｍを生成する。計時装置Ｃは、レイヤの値が１だけ小さい上位レイヤの計時装置Ｃが用いている送信チャネルとは異なる送信チャネルを用いて、生成した修正時刻情報Ｍを、レイヤの値が１だけ大きい下位レイヤの計時装置Ｃに送信する。
したがって、計時システムＳでは、上位レイヤの計時装置Ｃと、上位レイヤの計時装置Ｃから修正時刻情報Ｍを受信し、受信した修正時刻情報Ｍに基づいて自装置の計時データを修正する子計時装置とを備える。
【００３８】
なお、計時システムＳには、計時装置Ｃ以外に、修正時刻情報Ｍを送信する機能を有しない計時装置も必要に応じて配置されてよい。
【００３９】
次に、図６を参照し、計時装置Ｃの構成について説明する。
図６は、本実施形態に係る計時装置Ｃの構成の一例を示す図である。計時装置Ｃは、長波受信回路１と、電源回路２と、コネクタ３と、主装置４と、表示装置５とを備える。
【００４０】
長波受信回路１は、時刻情報を含む標準電波ＪＪＹまたは衛星電波（ＵＴＣ）を受信・復調し、ディジタル受信情報を、コネクタ３を介して主装置４に出力する。
電源回路２は、ＡＣ（交流）アダプタ接続プラグ２１と、バッテリ２２とを備え、ＡＣアダプタまたはバッテリ２２からの直流電力を、コネクタ３を介して主装置４に供給する。
【００４１】
表示装置５は、セグメント構成の表示パネルＰ（例えば、液晶表示パネル）を備え、時刻情報、電波送受信状況、等の情報を表示する。
【００４２】
ここで図７を参照し、表示装置５の表示パネルＰの表示について説明する。
図７は、本実施形態に係る表示装置５の表示パネルＰの表示の一例を示す図である。表示パネルＰは、午前表示セグメントＰ１、午後表示セグメントＰ２、ＴＬマークセグメントＰ３、時間表示セグメントＰ４、区切りセグメントＰ５、分表示セグメントＰ６、秒表示セグメントＰ７、親機子機モードマークセグメントＰ８、情報源マークセグメントＰ９、ＢＬＥマークセグメントＰ１０、アンテナマークセグメントＰ１１、受信レベルセグメントＰ１２、バッテリマークセグメントＰ１３、月表示セグメントＰ１４、日表示セグメントＰ１５、曜日表示セグメントＰ１６を備える。
【００４３】
午前表示セグメントＰ１、及び午後表示セグメントＰ２は、時刻が１２時間表示の場合に、午前と午後の別を表示する。
ＴＬマークセグメントＰ３は、上位レイヤの計時装置Ｃから修正時刻信号を受信できていることなどを表示するための表示セグメントである。また、このＴＬマークセグメントＰ３の表示態様の切り替えにより、受信中であること、送信中であることなどを表示する。
時間表示セグメントＰ４と、区切りセグメントＰ５と、分表示セグメントＰ６と、秒表示セグメントＰ７とは、現在時刻を「時：分秒」の形式において表示する。
【００４４】
親機子機モードマークセグメントＰ８は、計時装置Ｃが親機モードに設定されているか子機モードに設定されているかを表示する。計時装置Ｃが親機モードに設定されている場合、親機子機モードマークセグメントＰ８の「Ｐ」の文字が点灯する。一方、計時装置Ｃが子機モードに設定されている場合、親機子機モードマークセグメントＰ８の「Ｃ」の文字が点灯する。
【００４５】
情報源マークセグメントＰ９は、標準電波信号を所定時間以内に受信しているか否か、受信しているとすれば、情報源が西局、東局、及びＵＴＣのいずれであるかを表示する。例えば、計時装置Ｃが２４時間以内に、ＪＪＹ６０ｋＨｚを受信して時刻修正に使用している場合には、Ｗマークセグメントが点灯する。計時装置Ｃが２４時間以内に、ＪＪＹ４０ｋＨｚを受信して時刻修正に使用している場合には、Ｅマークセグメントが点灯する。計時装置Ｃが２４時間以内に、ＵＴＣを受信して時刻修正に使用している場合には、Ｕマークセグメントが点灯する。
【００４６】
ＢＬＥマークセグメントＰ１０は、スマートフォンからＢＬＥなどの近距離無線通信により時刻情報を受信しているか否かを表示する。
アンテナマークセグメントＰ１１と受信レベルセグメントＰ１２とは、受信電波の強度
を表示するためのセグメントである。
バッテリマークセグメントＰ１３は、バッテリ２２の電圧状態を表示するためのセグメントである。
月表示セグメントＰ１４と、日表示セグメントＰ１５と、曜日表示セグメントＰ１６と
は、月日と曜日とを表示するためのセグメントである。
【００４７】
図６に戻って、計時装置Ｃの構成の説明を続ける。
主装置４は、電圧デテクタ６と、レギュレータ７と、スイッチ群８と、ＲＦ（Ｒａｄｉｏ  Ｆｒｅｑｕｅｎｃｙ；高周波）回路９と、水晶振動子１０と、制御部１１とを備える。
【００４８】
電圧デテクタ６は、電源回路２の出力電圧を検出し、検出値を制御部１１に供給する。
レギュレータ７は、電源回路２から供給される電圧を安定化して、主装置４内に供給する。
【００４９】
スイッチ群８は、ＲＥＳＥＴスイッチ、ＲＥＣＶスイッチ、及びＭＯＤＥスイッチ、などの複数のスイッチを備える。スイッチ群８は、ユーザの操作によるスイッチのオン／オフ、オン時間の長さなどに応じて、様々な情報や指示を制御部１１に供給する。
【００５０】
ＲＥＳＥＴスイッチが操作されると、制御部１１は初期状態となる。
ＲＥＣＶスイッチが操作されると、所定時間、受信信号を受信する手動受信処理が実行される。
ＭＯＤＥスイッチが操作されると、長波を受信する長波受信親機モードと、スマートフォンからＢＬＥによる受信により時刻情報を取得するＢＬＥ親機モードと、子機モードとの３つのモードが切り替わる。なお、親機モードと子機モードとの２つのモードを切り替えて、親機モードにおいて長波受信とＢＬＥ受信とのいずれを用いて時刻情報を取得するかは、自動で選択されてもよい。
【００５１】
ＲＦ回路９は、制御部１１の制御下に、上位レイヤの計時装置Ｃが送信する修正時刻信号を受信信号として受信する。ＲＦ回路９は、受信した修正時刻信号を復調して制御部１１に出力する。また、ＲＦ回路９は、受信チャネルとは異なる送信チャネルを使用して修正時刻情報Ｍを下位レイヤの計時装置Ｃに送信する。
水晶振動子１０は、所定の発振周波数で発振し、発振信号を制御部１１に供給する。
【００５２】
制御部１１は、計時装置Ｃの動作全体を制御する。制御部１１は、水晶振動子１０の発振信号に基づく計時動作、送信間隔ＡＩ（アドバタイジングインターバル）の変更、上位レイヤの計時装置Ｃから受信した修正時刻信号に基づく時刻データの修正動作、修正した時刻データに基づく修正時刻情報ＭのＲＦ回路９を介した送信、表示装置５への種々の情報の表示制御、スイッチ群８の操作入力に応答する処理などを行う。
【００５３】
ここで図８を参照し、制御部１１の構成について説明する。
図８は、本実施形態に係る制御部１１の構成の一例を示す図である。制御部１１は、プロセッサ２０と、計時データ取得部３０と、エンコーダ４０と、デコーダ５０と、キー入力部６０と、電圧データ入力部７０と、レジスタ群８０とを備える。
【００５４】
プロセッサ２０は、修正部２０１と、計時部２０２と、親機子機モード制御部２０３と、通信制御部２０４と、間隔設定部２０５と、表示制御部２０６とを備える。プロセッサ２０は、修正部２０１と、計時部２０２と、親機子機モード制御部２０３と、通信制御部２０４と、間隔設定部２０５と、表示制御部２０６とにそれぞれ処理を行わせる。
プロセッサ２０は、ＣＰＵ、ＲＡＭ、及びＲＯＭなどにより実現される。
【００５５】
修正部２０１は、長波受信回路１またはＲＦ回路９が受信した受信信号に含まれる標準時刻情報に基づいて、計時データを修正する。また、修正部２０１は、ＲＦ回路９が受信した受信信号である修正時刻信号に含まれる修正時刻情報Ｍに基づいて、計時データを修正する。
計時部２０２は、修正部２０１が修正した計時データに基づき計時を行う。
【００５６】
親機子機モード制御部２０３は、キー入力部６０が供給する親機モードと子機モードとを切り替える信号に基づいて、親機子機モードレジスタ８０１に記憶される親機子機モード設定情報を変更する。
【００５７】
通信制御部２０４は、ＲＦ回路９による受信信号の受信、及びＲＦ回路９による修正時刻信号の送信を制御する。ここで通信制御部２０４は、ＲＦ回路９を介して、上位レイヤの計時装置Ｃが送信する修正時刻信号を受信信号として受信する。
間隔設定部２０５は、送信間隔ＡＩ（アドバタイジングインターバル）を変更する。
表示制御部２０６は、表示装置５への種々の情報の表示制御を行う。
【００５８】
計時データ取得部３０は、水晶振動子１０からの発振信号をカウントして、一定時間毎に計時データを取得し、プロセッサ２０に計時割込信号を出力する。ここで一定時間とは、例えば、１００ｍｓである。
【００５９】
エンコーダ４０は、プロセッサ２０から供給された送信対象のデータ、例えば、修正時刻情報Ｍをエンコードしてベースバンド信号を生成し、ＲＦ回路９に供給する。
デコーダ５０は、長波受信回路１及びＲＦ回路９が受信した受信信号をデコードして、例えば、標準時刻情報や修正時刻情報Ｍのベースバンド信号を復調し、プロセッサ２０に供給する。
【００６０】
キー入力部６０は、スイッチ群８の操作に従って入力されるオン・オフ信号をデコードして、プロセッサ２０に供給する。
電圧データ入力部７０は、電圧デテクタ６が検出した電圧値をプロセッサ２０に出力する。
【００６１】
レジスタ群８０は、親機子機モードレジスタ８０１と、計時データレジスタ８０２と、受信チャネルレジスタ８０３と、送信チャネルレジスタ８０４と、レイヤレジスタ８０５と、連続受信失敗回数レジスタ８０６と、送信間隔レジスタ８０７とを備える。
【００６２】
親機子機モードレジスタ８０１は、親機子機モード設定情報を記憶する。親機子機モード設定情報は、計時装置Ｃが長波受信親機モードと、ＢＬＥ親機モードと、子機モードとのいずれに設定されているかを示す。
計時データレジスタ８０２は、計時装置Ｃが計時している現在時刻を示す情報を計時データとして記憶する。ここで現在時刻を示す情報とは、月・日・時・分・秒・曜日を示す情報である。
【００６３】
受信チャネルレジスタ８０３は、上位レイヤの計時装置Ｃから修正時刻情報Ｍを受信する通信チャネルを指定する受信チャネル指定データ（例えば、前述の０〜５９のいずれかの値）及び受信したデータ等を記憶する。なお、上位レイヤの計時装置Ｃが存在しないレイヤの値が０の計時装置Ｃ１の場合には、標準時刻などの時刻の種類や、時刻情報を取得した、情報源を示す情報を記憶する。ここで時刻情報を取得した、情報源を示す情報とは、標準電波の種類（ＵＴＣ、ＪＪＹ東送信局、ＪＪＹ西送信局等）やスマートフォンを示す情報である。
【００６４】
送信チャネルレジスタ８０４は、下位レイヤの計時装置Ｃに修正時刻情報Ｍを送信する送信チャネルを指定する送信チャネル指定データ（例えば、前述の０〜５９のいずれかの値）を記憶する。送信チャネルレジスタ８０４に記憶されているチャネル指定データは、修正時刻情報Ｍ内の送信チャネル情報Ｍ２として送信される。
【００６５】
レイヤレジスタ８０５は、計時装置Ｃが、複数のレイヤのどのレイヤに位置するかを示すレイヤデータ（例えば、前述の０〜９９のいずれかの値）を記憶する。
【００６６】
連続受信失敗回数レジスタ８０６は、上位レイヤの計時装置Ｃからの修正時刻情報Ｍを連続して受信できなかった回数である連続受信失敗回数を記憶する。なお、上位レイヤの計時装置Ｃが存在しないレイヤの値が０の計時装置Ｃ１の場合には、標準電波信号を連続して受信できなかった回数を記憶する。
送信間隔レジスタ８０７は、計時装置Ｃが１回の送信動作においてアドバタイズメントパケットを送信する送信間隔ＡＩを記憶する。
【００６７】
（配置）
ユーザは、計時システムＳを構成する複数の計時装置Ｃを、ＲＦ回路９による通信が可能な距離範囲において配置し、電源を投入する。
【００６８】
（初期動作）
計時装置Ｃは、電源が投入されると他の初期化動作と共に時刻情報を受信するための前処理を開始する。この前処理は、スイッチ群８のＲＥＳＥＴスイッチが操作され制御部１１が初期状態となった場合にも開始される。
【００６９】
図９は、本実施形態に係る時刻情報受信のための前処理の一例を示す図である。
ステップＳ１００：親機子機モード制御部２０３は、計時装置Ｃが親機モードに設定されているか否かを判定する。ここで親機モードは、長波受信親機モードと、ＢＬＥ親機モードとのいずれかである。
【００７０】
親機子機モード制御部２０３は、親機子機モードレジスタ８０１から、親機子機モード設定情報を取得する。親機子機モード制御部２０３が、取得した親機子機モード設定情報が、長波受信親機モードと、ＢＬＥ親機モードとのいずれかを示すと判定する場合（ステップＳ１００；ＹＥＳ）、プロセッサ２０はステップＳ１１０の処理を実行する。
【００７１】
一方、親機子機モード制御部２０３が、取得した親機子機モード設定情報が、長波受信親機モードと、ＢＬＥ親機モードとのいずれも示さないと判定する場合（ステップＳ１００；ＮＯ）、プロセッサ２０はステップＳ１４０の子機モード近距離受信処理を実行する。子機モード近距離受信処理については、図１２を参照し後述する。
【００７２】
ステップＳ１００において、親機子機モード制御部２０３は、表示制御部２０６に親機子機モード設定情報を供給する。表示制御部２０６は、親機子機モード制御部２０３が供給する親機子機モード設定情報に応じて、表示装置５に親機子機モードマークセグメントＰ８を用いて、計時装置Ｃが親機モードに設定されているか、子機モードに設定されているかを表示させる。
【００７３】
ステップＳ１１０：親機子機モード制御部２０３は、計時装置Ｃが長波受信親機モードに設定されているか否かを判定する。親機子機モード制御部２０３が、親機子機モード設定情報が、長波受信親機モードを示すと判定する場合（ステップＳ１１０；ＹＥＳ）、プロセッサ２０はステップＳ１２０の長波受信処理を実行する。長波受信処理については、図１０を参照し後述する。
一方、親機子機モード制御部２０３が、親機子機モード設定情報が、長波受信親機モードを示さないと判定する場合（ステップＳ１１０；ＮＯ）、プロセッサ２０はステップＳ１３０の親機モード近距離通信処理を実行する。親機モード近距離通信処理については、図１１を参照し後述する。
【００７４】
図１０は、本実施形態に係る親機モードにおける長波受信処理の一例を示す図である。図１０に示す処理は、図９に示したステップＳ１２０の長波受信処理である。
ステップＳ２００：通信制御部２０４は、長波受信回路１を制御して、ＪＪＹの九州送信所から６０ｋＨｚにおいて放送されている標準電波を受信させる。ここで所定時間とは、例えば３０秒間である。通信制御部２０４は、長波受信回路１が受信した受信信号を、デコーダ５０にデコードさせ、標準時刻情報を取得する。
【００７５】
ステップＳ２０１：通信制御部２０４は、長波受信回路１を制御して、ＪＪＹの福島送信所から４０ｋＨｚにおいて放送されている標準電波を受信させる。ここで所定時間とは、例えば３０秒間である。通信制御部２０４は、長波受信回路１が受信した受信信号を、デコーダ５０にデコードさせ、標準時刻情報を取得する。
【００７６】
ステップＳ２０２：通信制御部２０４は、長波受信回路１が６０ｋＨｚと４０ｋＨの両方の標準電波を受信でき、復号信号を得ることができたと判定する場合（ステップＳ２０２；ＹＥＳ）、ステップＳ２０８の処理を実行する。一方、通信制御部２０４は、長波受信回路１が６０ｋＨｚと４０ｋＨの両方の標準電波を受信でなかったと判定する場合（ステップＳ２０２；ＮＯ）、ステップＳ２０８の処理を実行する。
【００７７】
ステップＳ２０３：通信制御部２０４は、長波受信回路１が６０ｋＨｚの標準電波を受信できたと判定する場合には（ステップＳ２０３；ＹＥＳ）、ステップＳ２０９の処理を実行する。一方、通信制御部２０４は、長波受信回路１が６０ｋＨｚの標準電波を受信できなかったと判定する場合には（ステップＳ２０３；ＮＯ）、ステップＳ２０４の処理を実行する。
【００７８】
ステップＳ２０４：また、通信制御部２０４は、長波受信回路１が４０ｋＨｚの標準電波を受信できたと判定する場合には（ステップＳ２０４；ＹＥＳ）、ステップＳ２１０の処理を実行する。一方、通信制御部２０４は、長波受信回路１が４０ｋＨｚの標準電波を受信できなかったと判定する場合には（ステップＳ２０４；ＮＯ）、ステップＳ２０５の処理を実行する。
【００７９】
ステップＳ２０５：通信制御部２０４は、長波受信回路１が標準電波を受信できなかった場合、長波受信回路１にＧＰＳ衛星等からのＵＴＣを受信させる。
ステップＳ２０６：通信制御部２０４は、長波受信回路１がＵＴＣを受信できたか否かを判定する。通信制御部２０４が、長波受信回路１がＵＴＣを受信できたと判定する場合（ステップＳ２０６；ＹＥＳ）、プロセッサ２０はステップＳ２１１の処理を実行する。
一方、通信制御部２０４が、長波受信回路１がＵＴＣを受信できなかったと判定する場合（ステップＳ２０６；ＮＯ）、プロセッサ２０はステップＳ２０７の処理を実行する。
【００８０】
ステップＳ２０７：通信制御部２０４は、長波受信失敗処理を実行する。通信制御部２０４は、表示制御部２０６に長波受信に失敗したことを示す信号を供給する。
表示制御部２０６は、通信制御部２０４が供給する信号に基づいて、表示装置５にアンテナマークセグメントＰ１１と受信レベルセグメントＰ１２とを用いて、長波受信に失敗したことを表示させる。ここで表示装置５は、例えば、アンテナマークセグメントＰ１１を点滅させ、受信レベルセグメントＰ１２を消灯させる。
【００８１】
ステップＳ２０８：通信制御部２０４は、より安定して受信が可能な一方の送信所を選択する。その後、通信制御部２０４は、ステップＳ２１１の処理を実行する。
【００８２】
ステップＳ２０９：通信制御部２０４は、西送信所（九州）を選択する。その後、通信制御部２０４は、ステップＳ２１１の処理を実行する。
【００８３】
ステップＳ２１０：通信制御部２０４は、東送信所（福島）を選択する。その後、通信制御部２０４は、ステップＳ２１１の処理を実行する。
【００８４】
ステップＳ２１１：プロセッサ２０は、長波受信初期設定処理を実行する。
計時部２０２は、計時データレジスタ８０２に受信した標準電波に基づく計時データをセットする。
通信制御部２０４は、受信チャネルレジスタ８０３に時刻種類に標準電波であることと東西送信所の別を示す情報を設定する。また、通信制御部２０４は、レイヤレジスタ８０５にレイヤの値として０を設定する。通信制御部２０４は、連続受信失敗回数レジスタ８０６に記憶される連続受信失敗回数をリセットする。
プロセッサ２０は、計時データをセットすると、修正時刻信号の送信動作を開始する。修正時刻信号の送信動作については、図１５を参照し後述する。
【００８５】
また、表示制御部２０６は、表示装置５に、計時データレジスタ８０２に記憶されている計時データ、受信状態、バッテリ状態を示す情報を表示させる。表示装置５の表示パネルＰの表示内容には、例えば、午前表示セグメントＰ１、及び午後表示セグメントＰ２による午前・午後の表示、時間表示セグメントＰ４、区切りセグメントＰ５、分表示セグメントＰ６、秒表示セグメントＰ７、月表示セグメントＰ１４、日表示セグメントＰ１５、及び曜日表示セグメントＰ１６による年月日時分秒曜日の表示、情報源マークセグメントＰ９による標準電波の情報源の表示、受信レベルセグメントＰ１２による標準電波の受信状況の表示、及び電圧データ入力部７０を介して取り込んだ電圧デテクタ６の検出値に基づいた電源状態の表示、などを含む。
【００８６】
図１１は、本実施形態に係る親機モードにおける近距離通信処理の一例を示す図である。図１１に示す処理は、図９に示したステップＳ１３０の親機モード近距離通信処理である。
【００８７】
ステップＳ３００：通信制御部２０４は、ＲＦ回路９を起動する。
ステップＳ３１０：通信制御部２０４は、ＲＦ回路９に、スマートフォンと接続するためのアドバタイズ信号を間欠的に所定時間送信させる。ここで所定時間とは、例えば、３０秒間である。
【００８８】
ステップＳ３２０：通信制御部２０４は、ＲＦ回路９がスマートフォンと接続し近距離時刻信号を受信したか否かを判定する。通信制御部２０４が、ＲＦ回路９が近距離時刻信号を受信したと判定する場合（ステップＳ３２０；ＹＥＳ）、プロセッサ２０はステップＳ３４０の処理を実行する。一方、通信制御部２０４が、ＲＦ回路９が近距離時刻信号を受信していないと判定する場合（ステップＳ３２０；ＮＯ）、プロセッサ２０はステップＳ３３０の処理を実行する。
【００８９】
ステップＳ３３０：通信制御部２０４は、近距離通信失敗処理を実行する。通信制御部２０４は、表示制御部２０６に近距離通信に失敗したことを示す信号を供給する。
表示制御部２０６は、通信制御部２０４が供給する信号に基づいて、表示装置５にＢＬＥマークセグメントＰ１０と、アンテナマークセグメントＰ１１と受信レベルセグメントＰ１２とを用いて、近距離通信に失敗したことを表示させる。ここで表示装置５は、例えば、ＢＬＥマークセグメントＰ１０を点灯させ、アンテナマークセグメントＰ１１を点滅させ、受信レベルセグメントＰ１２を消灯させる。
【００９０】
ステップＳ３４０：プロセッサ２０は、近距離通信初期設定処理を実行する。
計時部２０２は、計時データレジスタ８０２に受信した近距離時刻信号に基づく計時データをセットする。
プロセッサ２０は、計時データをセットすると、修正時刻信号の送信動作を開始する。修正時刻信号の送信動作については、図１５を参照し後述する。
通信制御部２０４は、受信チャネルレジスタ８０３に時刻種類にスマートフォンなどから受信した時刻であることを示す情報を設定する。また、通信制御部２０４は、レイヤレジスタ８０５にレイヤの値として０を設定する。通信制御部２０４は、連続受信失敗回数レジスタ８０６に記憶される連続受信失敗回数をリセットする。
【００９１】
また、表示制御部２０６は、表示装置５に、計時データレジスタ８０２に記憶されている計時データ、受信状態、バッテリ状態を示す情報を表示させる。ここ表示装置５の表示パネルＰの表示内容には、例えば、午前表示セグメントＰ１、及び午後表示セグメントＰ２による午前・午後の表示、時間表示セグメントＰ４、区切りセグメントＰ５、分表示セグメントＰ６、秒表示セグメントＰ７、月表示セグメントＰ１４、日表示セグメントＰ１５、及び曜日表示セグメントＰ１６による年月日時分秒曜日の表示、ＢＬＥマークセグメントＰ１０によるスマートフォンから時刻情報を取得したことの表示、受信レベルセグメントＰ１２による近距離通信電波の受信状況の表示、及び電圧データ入力部７０を介して取り込んだ電圧デテクタ６の検出値に基づいた電源状態の表示、などを含む。
【００９２】
なお、親機モードと子機モードとの２つのモードを切り替えて、親機モードにおいて長波受信とＢＬＥ受信とのいずれを用いて時刻情報を取得するかが自動で選択される場合、例えば、図９のステップＳ１２０の長波受信処理が失敗した場合に、ステップＳ１３０の親機モード近距離通信処理が実行されてよい。別の例では、図９のステップＳ１３０の親機モード近距離通信処理が失敗した場合に、ステップＳ１２０の長波受信処理が実行されてもよい。
【００９３】
図１２は、本実施形態に係る子機モードにおける近距離受信処理の一例を示す図である。図１２に示す処理は、図９に示したステップＳ１４０の子機モード近距離受信処理である。
【００９４】
ステップＳ４００：通信制御部２０４は、ＲＦ回路９を起動する。
ステップＳ４１０：通信制御部２０４は、ＲＦ回路９が近距離時刻信号を受信したか否かを判定する。通信制御部２０４が、ＲＦ回路９が近距離時刻信号を受信したと判定する場合（ステップＳ４１０；ＹＥＳ）、デコーダ５０から修正時刻情報Ｍを取得する。その後、プロセッサ２０はステップＳ４２０の処理を実行する。
一方、通信制御部２０４が、ＲＦ回路９が近距離時刻信号を受信していないと判定する場合（ステップＳ４１０；ＮＯ）、プロセッサ２０はステップＳ４３０の処理を実行する。
【００９５】
ステップＳ４２０：修正部２０１は、計時データを修正する。修正部２０１は、通信制御部２０４から修正時刻情報Ｍを取得する。修正部２０１は、取得した修正時刻情報Ｍに含まれる時刻情報に基づいて、計時データレジスタ８０２に記憶されている計時データを修正する。このように修正時刻情報Ｍは、計時データを修正するために用いられる。
プロセッサ２０は、計時データを修正すると、修正時刻信号の送信動作を開始する。修正時刻信号の送信動作については、図１５を参照し後述する。
【００９６】
また、ステップＳ４２０において、表示制御部２０６は、表示装置５に、計時データレジスタ８０２に記憶されている修正された計時データ、受信状態、バッテリ状態を示す情報を表示させる。ここ表示装置５の表示パネルＰの表示内容には、例えば、午前表示セグメントＰ１、及び午後表示セグメントＰ２による午前・午後の表示、時間表示セグメントＰ４、区切りセグメントＰ５、分表示セグメントＰ６、秒表示セグメントＰ７、月表示セグメントＰ１４、日表示セグメントＰ１５、及び曜日表示セグメントＰ１６による年月日時分秒曜日の表示、受信レベルセグメントＰ１２による近距離通信電波の受信状況の表示、及び電圧データ入力部７０を介して取り込んだ電圧デテクタ６の検出値に基づいた電源状態の表示、などを含む。
【００９７】
ステップＳ４３０：通信制御部２０４は、ＲＦ回路９を起動させてから所定時間が経過したか否かを判定する。ここで所定時間とは、例えば、２４時間である。ただし、所定時間は、計時システムＳのレイヤの数により変更されてよい。
通信制御部２０４は、ＲＦ回路９を起動させてから所定時間が経過したと判定する場合（ステップＳ４３０；ＹＥＳ）、ステップＳ４４０の処理を実行する。一方、通信制御部２０４は、ＲＦ回路９を起動させてから所定時間が経過していないと判定する場合（ステップＳ４３０；ＮＯ）、ステップＳ４１０の処理を繰り返す。
【００９８】
ステップＳ４４０：通信制御部２０４は、タイムアウト処理を実行する。通信制御部２０４は、表示制御部２０６に修正時刻信号の受信に失敗したことを示す信号を供給する。
表示制御部２０６は、通信制御部２０４が供給する信号に基づいて、アンテナマークセグメントＰ１１と受信レベルセグメントＰ１２とを用いて、修正時刻信号の受信に失敗したことを表示装置５に表示させる。ここで表示装置５は、例えば、アンテナマークセグメントＰ１１を点滅させ、受信レベルセグメントＰ１２を消灯させる。ユーザは、計時装置Ｃが修正時刻信号の受信に失敗したことに応じて、計時装置Ｃの位置を変えて設置し直してもよい。
（通常時の動作）
通常の動作時において、制御部１１の計時データ取得部３０は、水晶振動子１０の発振信号を用いて一定時間（例えば、５０ｍｓ）を計時する毎に、計時時刻を更新するための計時割込信号をプロセッサ２０に供給する。この計時信号に応答して、プロセッサ２０は、図１３に示す処理を開始する。
図１３は、本実施形態に係る通常時の計時処理の一例を示す図である。
【００９９】
ステップＳ５００：計時部２０２は、計時データレジスタ８０２に記憶されている計時データを更新する。
ステップＳ５１０：計時部２０２は、表示制御部２０６に表示装置５の表示情報の更新などの処理を実行させる。
【０１００】
また、計時部２０２は、所定時間（例えば、５００ｍｓ）の経過を計時する毎に、プロセッサ２０に、修正時刻信号を受信するための計時割込信号を送る。
この計時割込信号に応答して、プロセッサ２０は、図１４に示す処理を開始する。
【０１０１】
図１４は、本実施形態に係る子機の通常時の時刻修正のための処理の一例を示す図である。
【０１０２】
ステップＳ６００：通信制御部２０４は、現在時刻が修正時刻信号の受信タイミングであるか否かを判定する。
ここで、通信制御部２０４は、レイヤレジスタ８０５に記憶される自装置のレイヤの値と、受信チャネルレジスタ８０３に記憶される受信チャネルとに基づいて、上述した式（１）から受信タイミングを算出する。受信タイミングとは、上位レイヤの計時装置Ｃの送信タイミングである。
【０１０３】
通信制御部２０４は、計時データレジスタ８０２に記憶される計時データを取得する。通信制御部２０４は、算出した受信タイミングと、取得した計時データが示す現在時刻とを比較し、現在時刻が受信タイミングの所定の時間だけ前であるか否かを判定する。ここで所定の時間とは、例えば、２秒である。
【０１０４】
通信制御部２０４は、現在時刻が修正時刻信号の受信タイミングであると判定する場合（ステップＳ６００；ＹＥＳ）、ステップＳ６１０の処理を実行する。一方、通信制御部２０４は、現在時刻が修正時刻信号の受信タイミングでないと判定する場合（ステップＳ６００；ＮＯ）、処理を終了する。
【０１０５】
ステップＳ６１０：通信制御部２０４は、ＲＦ回路９に修正時刻信号を受信させる。ここで通信制御部２０４は、例えば最大４秒間、ＲＦ回路９に修正時刻信号を受信させる。
通信制御部２０４は、デコーダ５０から修正時刻情報Ｍを取得する。
【０１０６】
ステップＳ６２０：修正部２０１は、通信制御部２０４が供給する修正時刻情報Ｍに基づいて、計時データレジスタ８０２に記憶される計時データを更新する。
【０１０７】
次に図１５を参照し、計時装置Ｃの修正時刻信号の送信動作について説明する。図１５に示す修正時刻信号の送信動作は、図９における長波受信処理（ステップＳ１２０）、親機モード近距離通信処理（ステップＳ１３０）、及び子機モード近距離受信処理（ステップＳ１４０）のいずれかにおいて計時装置Ｃが受信信号の初期受信に成功し、受信信号に基づいて計時データを修正すると開始される。つまり、計時システムＳでは、計時装置Ｃは、親機、子機ともに電源が投入され初期受信に成功すると、以降は自動的に送信を開始する。
また、計時部２０２は、所定時間（例えば、５００ｍｓ）の経過を計時する毎に、プロセッサ２０に、修正時刻信号を送信するための計時割込信号を送る。この計時割込信号に応答して、プロセッサ２０は、図１５に示す処理を開始する。
図１５は、本実施形態に係る修正時刻信号の送信動作の一例を示す図である。
【０１０８】
ステップＳ７００：計時部２０２は、修正時刻情報Ｍを生成する。計時部２０２は、レイヤレジスタ８０５に記憶されるレイヤ情報が示すレイヤの値、送信チャネルレジスタ８０４に記憶される送信チャネル指定データが示す送信チャネル、計時データレジスタ８０２に記憶される計時データが示す時刻情報、及び受信チャネルレジスタ８０３に記憶される時刻情報の情報源を示す情報などに基づいて、修正時刻情報Ｍを生成する。
計時部２０２は、生成した修正時刻情報Ｍを通信制御部２０４に供給する。
【０１０９】
ステップＳ７１０：通信制御部２０４は、送信動作回数毎に送信動作を繰り返す処理を開始する。
ステップＳ７２０：間隔設定部２０５は、１回の送信動作に含まれる修正時刻信号の送信間隔ＡＩを設定する。ここで間隔設定部２０５は、送信間隔ＡＩを上述した式（２）によってランダムに設定する。
送信間隔レジスタ８０７に記憶される送信間隔ＡＩは、計時装置Ｃがリセットされた後、初期値に設定されている。ここで初期値とは、例えば、２０ｍｓである。間隔設定部２０５は、送信間隔レジスタ８０７に記憶される送信間隔ＡＩを変更することにより送信間隔ＡＩを設定する。
したがって、間隔設定部２０５は、送信期間内において通信制御部２０４が順次送信する修正時刻情報Ｍの送信間隔ＡＩを変更する。ここで間隔設定部２０５は、送信間隔ＡＩをランダムに変更する。
【０１１０】
間隔設定部２０５は、送信期間ＴＰ１内におけるアドバタイジングパケットの送信間隔ＡＩと、送信期間ＴＰ２内におけるアドバタイジングパケットの送信間隔ＡＩと、送信期間ＴＰ３内におけるアドバタイジングパケットの送信間隔ＡＩとをそれぞれ変更する。
したがって、間隔設定部２０５は、送信期間（送信期間ＴＰ１、送信期間ＴＰ２、及び送信期間ＴＰ３）のうち、第１送信期間内において通信制御部２０４が順次送信する修正時刻情報Ｍの送信間隔と、第１送信期間とはタイミングが異なる第２送信期間内において通信制御部２０４が順次送信する修正時刻情報Ｍの送信間隔とを変更する。
【０１１１】
なお、本実施形態では、間隔設定部２０５は、送信期間ＴＰ１、送信期間ＴＰ２、及び送信期間ＴＰ３のそれぞれについてアドバタイジングパケットの送信間隔ＡＩを変更する場合について説明しているが、これに限らない。間隔設定部２０５は、送信期間ＴＰ１、送信期間ＴＰ２、及び送信期間ＴＰ３のうち少なくとも１つの期間におけるアドバタイジングパケットの送信間隔ＡＩを変更してもよい。
【０１１２】
ステップＳ７３０：通信制御部２０４は、アドバタイジングを行う。ここで通信制御部２０４は、間隔設定部２０５が設定した送信間隔ＡＩに基づいて修正時刻信号を３回送信する。通信制御部２０４は、それらの修正時刻信号に、修正部２０１が生成した修正時刻情報Ｍを含めて送信する。３回の修正時刻信号の送信において、各修正時刻信号に含まれる修正時刻情報Ｍは同じである。
したがって、通信制御部２０４は、計時データの修正値を示す複数の修正時刻情報Ｍを他の計時装置Ｃに所定の送信期間内において順次送信する。
【０１１３】
ステップＳ７４０：通信制御部２０４は、１０秒間待機する。
ステップＳ７５０：通信制御部２０４は、送信動作回数毎に送信動作を繰り返す処理を終了する。
【０１１４】
なお、本実施形態においては、間隔設定部２０５は、送信間隔ＡＩを式（２）に基づいてランダムに変更する場合について説明したが、これに限らない。送信間隔ＡＩは、計時装置Ｃのレイヤ及び送信チャネルに基づいて変更されてもよい。例えば、間隔設定部２０５は、０から５９までの整数を０から３１までの整数に対応させることにより、式（２）の０から３１までの値を取る整数ｎを、０から５９までの値を取る送信チャネルに基づいて決定してもよい。
【０１１５】
以上に説明したように、本実施形態に係る計時装置Ｃは、送信部（通信制御部２０４）と、変更部（間隔設定部２０５）とを備える。
送信部（通信制御部２０４）は、計時データの修正値を示す複数の修正時刻情報Ｍを他の計時装置Ｃに所定の送信期間内において順次送信する。
変更部（間隔設定部２０５）は、送信期間内において送信部（通信制御部２０４）が順次送信する修正時刻情報Ｍの送信間隔ＡＩを変更する。
この構成により、本実施形態に係る計時装置Ｃでは、変更された送信間隔ＡＩにおいて、複数の修正時刻情報Ｍを順次送信できるため、時刻修正のための信号の混信を軽減できる。ここで本実施形態に係る計時装置Ｃでは、設置時に複数の計時装置Ｃが同時に修正時刻情報Ｍの送信を開始した場合であっても、それらの修正時刻情報Ｍは変更された送信間隔ＡＩにおいて送信されるため混信を回避できる。
【０１１６】
また、本実施形態に係る計時装置Ｃでは、変更部（間隔設定部２０５）は、送信間隔ＡＩをランダムに変更する。
この構成により、本実施形態に係る計時装置Ｃでは、複数の修正時刻情報Ｍを順次送信する送信間隔ＡＩをランダムに変更できるため、送信間隔ＡＩをランダムに変更しない場合に比べて時刻修正のための信号の混信を軽減できる。
【０１１７】
また、本実施形態に係る計時装置Ｃでは、変更部（間隔設定部２０５）は、送信期間（送信期間ＴＰ１、送信期間ＴＰ２、及び送信期間ＴＰ３）のうち、第１送信期間内において送信部（通信制御部２０４）が順次送信する修正時刻情報Ｍの送信間隔ＡＩと、第１送信期間とはタイミングが異なる第２送信期間内において送信部（通信制御部２０４）が順次送信する修正時刻情報Ｍの送信間隔ＡＩとを変更する。
【０１１８】
この構成により、本実施形態に係る計時装置Ｃでは、間隔設定部２０５は、送信間隔ＡＩをランダムに変更するため、送信期間ＴＰ１内におけるアドバタイジングパケットの送信間隔ＡＩが、複数の計時装置Ｃ同士において重なってしまった場合であっても、送信期間ＴＰ２内におけるアドバタイジングパケットの送信間隔ＡＩ、送信期間ＴＰ２内におけるアドバタイジングパケットの送信間隔ＡＩをランダムに変更するため、送信期間ＴＰ１、送信期間ＴＰ２、及び送信期間ＴＰ３の全てにおいてアドバタイジングパケットの送信間隔ＡＩが、複数の計時装置Ｃ同士において重なってしまうことを防ぐことができる。
【０１１９】
また、本実施形態に係る計時システムＳでは、計時装置Ｃと、計時装置Ｃから修正時刻情報Ｍを受信し、受信した修正時刻情報Ｍに基づいて自装置の計時データを修正する子計時装置（計時装置Ｃの下位レイヤの計時装置Ｃ）とを備える。
この構成により、本実施形態に係る計時システムＳでは、時刻修正のための信号の混信を軽減できるため、時刻修正のための信号の混信が軽減されない場合に比べて正確な時刻を維持することができる。
【０１２０】
なお、上述した実施形態における計時装置Ｃの一部、例えば、制御部１１をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、計時装置Ｃに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
また、上述した実施形態における計時装置Ｃの一部、または全部を、ＬＳＩ（Ｌａｒｇｅ  Ｓｃａｌｅ  Ｉｎｔｅｇｒａｔｉｏｎ）等の集積回路として実現してもよい。計時装置Ｃの各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０１２１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１２２】
Ｓ…計時システム、Ｃ、Ｃ１、Ｃ２、Ｃ３、Ｃ４、Ｃ５、Ｃ６…計時装置、１…長波受信回路、２…電源回路、２１…ＡＣ（交流）アダプタ接続プラグ、２２…バッテリ、３…コネクタ、４…主装置、５…表示装置、６…電圧デテクタ、７…レギュレータ、８…スイッチ群、９…ＲＦ回路、１０…水晶振動子、１１…制御部、２０…プロセッサ、２０１…修正部、２０２…計時部、２０３…親機子機モード制御部、２０４…通信制御部、２０５…間隔設定部、２０６…表示制御部、３０…計時データ取得部、４０…エンコーダ、５０…デコーダ、６０…キー入力部、７０…電圧データ入力部、８０…レジスタ群、８０１…親機子機モードレジスタ、８０２…計時データレジスタ、８０３…受信チャネルレジスタ、８０４…送信チャネルレジスタ、８０５…レイヤレジスタ、８０６…連続受信失敗回数レジスタ、８０７…送信間隔レジスタ、Ｐ…表示パネル
【図１】
2019207187.tif 000005
【図２】
2019207187.tif 000006
【図３】
2019207187.tif 000007
【図４】
2019207187.tif 000008
【図５】
2019207187.tif 000009
【図６】
2019207187.tif 000010
【図７】
2019207187.tif 000011
【図８】
2019207187.tif 000012
【図９】
2019207187.tif 000013
【図１０】
2019207187.tif 000014
【図１１】
2019207187.tif 000015
【図１２】
2019207187.tif 000016
【図１３】
2019207187.tif 000017
【図１４】
2019207187.tif 000018
【図１５】
2019207187.tif 000019